(57)【要約】【課題】  この発明は、夏の強い日差しの中、自動車を屋外へ駐車する時に日差しを防ぐため、フロントガラスの内側に段ボール素材や吸盤付きシートの日除けを持ち込み使用していたが、持ち込みや設置の不便さ及び車内積載することで生じる車内使用スペースの阻害を解消する格納式自動車日除けを提供するものである。【解決手段】  バネ材質を使用した日除け枠（６）に日除け（２）を張り、日除け前部に一体化した取っ手（４）を設け、日除け枠（６）の足をパイプ（５）に収め自動車の屋根内部（３）に設置する。使用時は自動車内の天井前部に設けた日除け取り出し口（７）から取っ手（４）をフロントガラス（１０）の内側下方へ引き出し、収納は使用時の逆方法をとる。また、パイプ（５）を使用しないで日除け枠（６）後部の足先に車（１１）を取り付け、レール（１２）に車（１１）を収めたものでも使用できる。収納した屋根内部（３）に対しフロントガラス（１０）は角度があり、日除け（２）が運転中に飛び出し視界を遮ることや手動式のため誤作動もなく安全で、使用と収納はバネ材質枠（６）のためワンタッチで車内の使用スペースを阻害しない格納式の自動車日除けとする。【選択図】    図２
2004168283.tif 000002
【特許請求の範囲】
【請求項１】
（イ）バネ材質で日除け枠（６）を作成する。
（ロ）日除け枠の前部に一体化した取っ手（４）を設ける。
（ハ）布質などの日除け（２）を日除け枠の取っ手（４）からフロントガラス縦幅の長さまで張る。
（ニ）日除け枠（６）の後部の足を日除け（２）より長くし、パイプ（５）に収める。
（ホ）自動車内の屋根前部に日除け取り出し口（７）を設け、屋根内部に設置する。
以上の如く構成された、格納式自動車日除け。
【発明の詳細な説明】
【発明の詳細な説明】
【技術分野】
【０００１】  本発明は自動車のフロントガラスの内側に置く日除けを自動車の屋根内部に格納したことで、日除けの車内持ち込みの不便さや、車内積載から生じる使用スペースの阻害をなくし、使用操作を簡単にしたもの。
【背景技術】
【０００２】  従来は自動車フロントガラス部の格納式日除けは無く、段ボール素材などの折り畳み日除けを車内に持ち込み、広げて置く使用であった。
【発明が解決しようとする課題】
【０００３】  夏の強い日差しの中、自動車を屋外へ駐車した時に日差しを防ぐため、フロントガラスの内側に日除けを持ち込み使用していたが、持ち込む不便さに加え、使用時に広げたり使用後に畳む不便さがあり、車内に常時積載する場合や使用後は車内の使用スペースが阻害される難点があった。本発明は、この課題を解消するためになされたものである。
【課題を解決するための手段】
【０００４】  いま、その構成を説明すると、
（イ）バネ材質で日除け枠（６）を作成する。
（ロ）日除け枠の前部に一体化した取っ手（４）を設ける。
（ハ）布質などの日除け（２）を日除け枠の取っ手（４）からフロントガラス縦幅の長さまで張る。
（ニ）日除け枠（６）の後部の足を日除け（２）より長くし、パイプ（５）に収める。
（ホ）自動車内の屋根前部に日除け取り出し口（７）を設け、屋根内部に設置する。
以上のように装置し、使用時は日除け前部の取っ手（４）を引き出し、収納は使用時の逆方法でワンタッチ操作とした。また、格納式にしたことで持ち込みの不便さを解消し車内の使用スペースが変わらないようにした。
【発明を実施するための最良の形態】
【０００５】  以下、本発明の実施の形態について説明する。
（イ）バネやピアノ線など曲げに対し、元に戻ろうとする材質で日除け枠（６）を作成する。これは、日除けを収納している自動車屋根部と引き出して使用した時のフロントガラス（１０）にある角度を解消し、ストッパーの役割も果たす。
（ロ）日除け枠の前部に一体化した取っ手（４）を設ける。
（ハ）布質など曲がりに対応できる材質を用い、日除け枠の取っ手（４）からフロントガラス縦幅の長さまで日除け（２）を張る。
（ニ）日除け枠（６）の後部の足もパイプ（５）も日除け（２）より長くし、パイプ（５）に収める。これは、引き出して使用した時に足がパイプ（５）から抜けて収納できなくなることを防ぐため。
（ホ）自動車内の屋根前部に日除け取り出し口（７）を設け、屋根内部へパイプ（５）に足を収めた日除け本体を設置する。
【発明の効果】
【０００６】  夏に自動車を屋外駐車して日除けを使用する際、日除けを格納式にすることで、日除けの持ち込み及び使用時や使用後操作の不便さを解消し、車内の使用スペースを阻害せず変わらない状態で使用できる。
【図面の簡単な説明】
【図１】  本発明の使用状態を示す正面図である。
【図２】  本発明の使用状態を示す側面からの断面図である。
【図３】  本発明の本体、上からの側面図である。
【符号の説明】
１  自動車本体
２  日除け部
３  自動車の屋根内部
４  日除け枠の取っ手
５  日除け枠の足受けパイプ
６  バネ材質の日除け枠
７  自動車内の屋根前部の日除け取り出し口
８  自動車の屋根外部
９  自動車の屋根天井部
１０  自動車フロントガラス
【図１】
2004168283.tif 000003
【図２】
2004168283.tif 000004
【図３】
2004168283.tif 000005
【手続補正書】
【提出日】平成15年10月15日(2003.10.15)
【手続補正１】
【補正対象書類名】明細書
【補正対象項目名】全文
【補正方法】変更
【補正の内容】
【発明の詳細な説明】
【特許請求の範囲】
【請求項１】
（イ）バネ材質で日除け枠（６）を作成する。
（ロ）日除け枠（６）の前部に一体化した取っ手（４）を設ける。
（ハ）布質などの日除け（２）を日除け枠の取っ手（４）からフロントガラス縦幅の長さまで張る。
（ニ）日除け枠（６）後部の足を日除け（２）より長くし、パイプ（５）に収める。
（ホ）自動車内の屋根前部に日除け取り出し口（７）を設け、屋根内部に設置する。
以上の如く構成された、格納式自動車日除け。
【請求項２】
パイプ（５）を使用せず、日除け枠（６）後部の足先に車（１１）を取り付けてレール（１２）に収めた、請求項１の格納式自動車日除け。
【発明の詳細な説明】
【０００１】
【技術分野】  本発明は自動車のフロントガラスの内側に設置する日除けを自動車の屋根内部に格納したことで、日除けを車内持ち込みする不便さや、車内積載から生じる車内使用スペースの阻害をなくし、使用操作を簡単にしたもの。【０００２】
【背景技術】  従来は自動車フロントガラス部分の格納式日除けは無く、段ボール素材などの折り畳み日除けや吸盤付きシートを車内に持ち込み、広げて設置する使用であった。【０００３】
【発明が解決しようとする課題】
夏の強い日差しの中、自動車を屋外へ駐車した時に日差しを防ぐため、フロントガラスの内側に日除けを持ち込み使用していたが、持ち込む不便さに加え、使用時に広げたり使用後に畳むことや吸盤の取り外しによる不便さがあり、更にフロントガラスに吸盤跡が付いたり、車内に常時積載する場合や使用後は車内の使用スペースが阻害される難点があった。本発明は、この課題を解消するためになされたものである。
【０００４】
【課題を解決するための手段】
いま、その構成を説明すると、
（イ）バネ材質で日除け枠（６）を作成する。
（ロ）日除け枠（６）の前部に一体化した取っ手（４）を設ける。
（ハ）布質などの日除け（２）を日除け枠の取っ手（４）からフロントガラス縦幅の長さまで張る。
（ニ）日除け枠（６）後部の足を日除け（２）より長くし、パイプ（５）に収める。
（ホ）自動車内の屋根前部に日除け取り出し口（７）を設け、屋根内部に設置する。
（ヘ）パイプ（５）を使用しないものは、日除け枠（６）後部の足先に車（１１）を取り付けてレール（１２）に収めたものを使用する。
以上のように装置し、使用時は日除け前部の取っ手（４）を引き出し、収納は使用時の逆方法でワンタッチ操作とした。また、格納式にしたことで持ち込みの不便さを解消し車内の使用スペースが変わらないようにした。
【０００５】
【発明を実施するための最良の形態】  以下、本発明の実施の形態について説明する。
（イ）バネやピアノ線など曲げに対し、元に戻ろうとする材質で日除け枠（６）を作成する。これは、日除けの使用時及び収納時に係る自動車屋根内部（３）とフロントガラス（１０）にある角度を解消するため。
（ロ）日除け枠（６）の前部に一体化した取っ手（４）を設ける。
（ハ）布質など曲がりに対応できる材質を用い、日除け枠の取っ手（４）からフロントガラス縦幅の長さまで日除け（２）を張る。
（ニ）日除け枠（６）後部の足とパイプ（５）は日除け（２）より長くし、足をパイプ（５）に収める。これは、引き出して使用した時に足がパイプ（５）から抜け出ることを防ぐため。
（ホ）自動車内の屋根前部に日除け取り出し口（７）を設け、屋根内部へパイプ（５）に足を収めた日除け本体を設置する。
（ヘ）パイプ（５）を使用しないものは、日除け枠（６）後部の足先に車（１１）を取り付けてレール（１２）に車（１１）を収めたものを使用する。【０００６】
【発明の効果】
夏に自動車を屋外駐車して日除けを使用する際、日除けを格納式にすることで、日除けの持ち込み及び使用時や使用後の操作における不便さを解消し、車内の使用スペースを阻害せず、変わらない状態で使用できる。
【図面の簡単な説明】
【図１】  本発明の使用状態を示す正面図である。
【図２】  本発明の使用状態を示す側面からの断面図である。
【図３】  本発明の本体の上からの側面図である。
【図４】  本発明の他の実施例の使用状態を示す正面図である。
【図５】  本発明の他の実施例の本体、上からの側面図である。
【図６】  本発明の他の実施例のレール部分、背面図である。
【図７】  本発明の他の実施例のレール部分を内側から示す側面図である。
【符号の説明】
１  自動車本体
２  日除け部
３  自動車の屋根内部
４  日除け枠の取っ手
５  日除け枠の足受けパイプ
６  バネ材質の日除け枠
７  自動車内の屋根前部の日除け取り出し口
８  自動車の屋根外部
９  自動車の屋根天井部
１０  自動車フロントガラス
１１  車
１２  車受けレール
【手続補正２】
【補正対象書類名】図面
【補正対象項目名】全図
【補正方法】変更
【補正の内容】
【図１】
2004168283.tif 000006
【図２】
2004168283.tif 000007
【図３】
2004168283.tif 000008
【図４】
2004168283.tif 000009
【図５】
2004168283.tif 000010
【図６】
2004168283.tif 000011
【図７】
2004168283.tif 000012
【手続補正書】
【提出日】平成16年1月9日(2004.1.9)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】  本発明は、自動車のフロントガラスの内側に設置する日除けを自動車の屋根内部に格納したことで、日除けを車内持ち込みする不便さや、車内積載から生じる車内使用スペースの阻害をなくし、使用操作を簡単にしたもの。
【背景技術】
【０００２】  従来は自動車フロントガラス部分の格納式日除けは無く、段ボール素材などの折り畳み日除けや吸盤付きシートの日除けを車内に持ち込み、広げて設置する使用であった。
【発明の開示】
【発明が解決しようとする課題】
【０００３】  夏の強い日差しの中、自動車を屋外へ駐車した時に日差しを防ぐため、フロントガラスの内側に日除けを持ち込み使用していたが、持ち込む不便さに加え、使用時に広げたり使用後に畳むことや吸盤の取り外しによる不便さがあり、更にフロントガラスに吸盤跡が付いたり、車内に常時積載する場合や使用後は車内の使用スペースが阻害される難点があった。本発明は、この課題を解消するためになされたものである。
【課題を解決するための手段】
【０００４】  いま、その構成を説明すると、
（イ）バネ材質で日除け枠（６）を作成する。
（ロ）日除け枠（６）の前部に一体化した取っ手（４）を設ける。
（ハ）布質などの日除け（２）を日除け枠の取っ手（４）からフロントガラス縦幅の長さまで張る。
（ニ）日除け枠（６）後部の足を日除け（２）より長くし、パイプ（５）に収める。
（ホ）自動車内の屋根前部に日除け取り出し口（７）を設け、屋根内部に日除け本体を設置する。
（ヘ）パイプ（５）を使用しないものは、日除け枠（６）後部の足先に車（１１）を取り付けてレール（１２）に収めたものを使用する。
以上のように装置し、使用時は日除け前部の取っ手（４）を引き出し、収納は使用時の逆方法でワンタッチ操作とした。また、格納式にしたことで持ち込みの不便さを解消し車内の使用スペースが変わらないようにした。
【発明の効果】
【０００５】  夏に自動車を屋外駐車して日除けを使用する際、日除けを格納式にすることで、日除けの持ち込み及び使用時や使用後の操作における不便さを解消し、車内の使用スペースを阻害せず、変わらない状態で使用できる。
【発明を実施するための最良の形態】
【０００６】  以下、本発明を実施するための最良の形態について説明する。
（イ）バネやピアノ線など曲げに対し、元に戻ろうとする材質で日除け枠（６）を作成する。これは、日除けの使用時及び収納時に係る自動車屋根内部（３）とフロントガラス（１０）にある角度を解消するためである。
（ロ）日除け枠（６）の前部に一体化した取っ手（４）を設ける。
（ハ）布質など曲がりに対応できる材質を用い、日除け枠の取っ手（４）からフロントガラス縦幅の長さまで日除け（２）を張る。
（ニ）日除け枠（６）後部の足とパイプ（５）は日除け（２）より長くし、足をパイプ（５）に収める。これは、引き出して使用した時に足がパイプから抜け出ることを防ぐためである。
（ホ）自動車内の屋根前部に日除け取り出し口（７）を設け、屋根内部へパイプ（５）に足を収めた日除け本体を設置する。
（ヘ）パイプ（５）を使用しないものは、日除け枠（６）後部の足先に車（１１）を取り付けてレール（１２）に車（１１）を収めたものを使用する。
【産業上の利用可能性】
【０００７】  以上のように、本発明にかかる格納式自動車日除けは、自動車を屋外駐車する際、フロントガラスから差し込む強い日差しを防ぐための日除けとしては、格納されているために車内の使用スペースを阻害せず、操作も簡単であるため、国内外を問わず夏季及び熱帯諸国など広域においての利用の可能性は大きいものがある。
【図面の簡単な説明】
【０００８】
【図１】本発明の使用状態を示す正面図である。
【図２】本発明の使用状態を示す側面からの断面図である。
【図３】本発明の本体、上からの側面図である。
【図４】本発明の他の実施例の使用状態を示す正面図である。
【図５】本発明の他の実施例の本体、上からの側面図である。
【図６】本発明の他の実施例のレール部分、背面図である。
【図７】本発明の他の実施例のレール部分を内側から示す側面図である。
【符号の説明】
【０００９】    １：自動車本体
２：日除け部
３：自動車の屋根内部
４：日除け枠の取っ手
５：日除け枠の足受けパイプ
６：バネ材質の日除け枠
７：自動車内の屋根前部の日除け取り出し口
８：自動車の屋根外部
９：自動車の屋根天井部
１０：自動車フロントガラス
１１：車
１２：車受けレール
【手続補正２】
【補正対象書類名】手続補正書
【補正対象項目名】手続補正４
【補正方法】追加
【補正の内容】
【手続補正４】
【補正対象書類名】特許請求の範囲
【補正対象項目名】全文
【補正方法】変更
【補正の内容】
【特許請求の範囲】
【請求項１】
（イ）バネ材質で日除け枠（６）を作成する。
（ロ）日除け枠（６）の前部に一体化した取っ手（４）を設ける。
（ハ）布質などの日除け（２）を日除け枠の取っ手（４）からフロントガラス縦幅の長さまで張る。
（ニ）日除け枠（６）後部の足を日除け（２）より長くし、パイプ（５）に収める。
（ホ）自動車内の屋根前部に日除け取り出し口（７）を設け、屋根内部に設置する。
以上の如く構成された、格納式自動車日除け。
【請求項２】
パイプ（５）を使用せず、日除け枠（６）後部の足先に車（１１）を取り付けてレール（１２）に収めた、請求項１の格納式自動車日除け。